(57)【特許請求の範囲】
【請求項１】
上下水道の給水又は排水設備の監視室に、前記給水又は排水設備の運転信号や故障信号を取り込むシーケンサと共に設置される警報通報装置であって、
前記給水又は排水設備からの故障信号を取り込み、警報信号を出力する前記シーケンサからの警報信号を入力する手段と、
電子メールを配信するメールサーバーに通信回線を経由して接続する手段と、
前記給水又は排水設備の警報内容に対応するガイダンス文を保存するメモリと、
前記警報信号についての電子メールを前記通信回線を介して前記監視室外のクライアント機器に送信する機能を有するＣＰＵと、を備え、
前記ＣＰＵは、前記給水、排水設備のうちの警報を発生した設備、警報発生件数、警報復旧件数、警報復旧の内容、保守連絡先の電話番号及び警報への対処方法の情報を含む警報内容及び該警報内容に対応するガイダンス文を電子メールに付加する機能を有しており、
前記監視室外のクライアント機器で前記ガイダンス文が付加された警報メールを受信した保守担当者が、前記保守連絡先の電話番号の保守員に対して、前記警報を発生した設備を復旧させるための指示を出すことができることを特徴とする警報通報装置。
【請求項２】
請求項１記載の警報通報装置において、
前記ガイダンス文内に付加する電話番号を保存するメモリを備えることを特徴とする警報通報装置。
【請求項３】
請求項１記載の警報通報装置において、
前記ガイダンス文内に付加する警報への対処方法文を保存するメモリを備えることを特徴とする警報通報装置。
【請求項４】
請求項１記載の警報通報装置において、
前記給水又は排水設備を特定する設備情報を保存するメモリを備え、
前記ＣＰＵは、警報についての電子メールのタイトルに、前記上下水道の給水又は排水設備を特定する設備情報を付加する機能を有することを特徴とする警報通報装置。
【請求項５】
請求項１記載の警報通報装置において、
前記給水又は排水設備に発生した警報の件数を保存するメモリを備え、
前記ＣＰＵは、警報についての電子メールのタイトルに、前記給水又は排水設備に発生した警報の発生件数を付加する機能を有することを特徴とする警報通報装置。
【発明の詳細な説明】
【０００１】
【発明の属する技術分野】
本発明は、警報通報装置であり、上下水道の給水、配水設備や、産業用の生産設備、販売データ収集設備等の運転状態を監視、記録し、設備の故障、異常状態を表示、記録するとともに、警報信号を検出して、監視室の外にいる設備の保守担当者等に警報を通報する通報装置に関する。
【０００２】
【従来の技術】
従来、設備の運転状態等を監視し通報する警報通報装置を設置することが知られており、警報を電子メールの形で送ることが提案されている。従来の電子メールを使用して警報を通報する装置では、単純に警報の名称と警報発生時刻を電子メールとして送信するだけのものであった。このため、監視室の外部で警報メールを受信すると、緊急の警報に対処するよう、保守担当者の連絡先や警報に対処する方法を問合せる時間と手間がかかり、電子メールの機動性（いつでも、どこでも情報を入手できる）を有効に生かすことができなかった。また、警報の内容だけのメールを受信した場合、一度に複数の設備をメンテナンスする保守担当者にとって、受取った警報メールから、どの設備から来ているのかわからない場合があった。そして、複数の警報が同時に発生している場合には、携帯電話の受信容量の制限から、全ての警報内容を取得しきれない場合があった。
【０００３】
【発明が解決しようとする課題】
本発明は、従来の問題を解決するものであり、出先で警報メールを受信した保守担当者が設備を復旧させるための指示を出せ、また、複数の設備の保守を担当している保守員が、受取った警報メールの情報からその後の処置を行うことができる警報通報装置を提供することを目的とする。
【０００４】
【課題を解決するための手段】
本発明は、監視対象設備の警報信号を入力する手段と、電子メールを配信するメールサーバーに通信回線を経由して接続する手段と、警報内容に対応するガイダンス文を保存するメモリと、警報についての電子メールを送信する機能を有するＣＰＵとを備える警報通報装置であって、前記ＣＰＵは、警報内容及び該警報内容に対応するガイダンス文を電子メールに付加する機能を有する警報通報装置である。
【０００５】
また、本発明は、上記ガイダンス文内に付加する電話番号を保存するメモリを備える警報通報装置である。
【０００６】
そして、本発明は、上記ガイダンス文内に付加する警報への対処方法文を保存するメモリを備える警報通報装置である。
【０００７】
更に、本発明は、監視対象設備の警報信号を入力する手段と、電子メールを配信するメールサーバーに通信回線を経由して接続する手段と、監視対象設備を特定する設備情報を保存するメモリと、警報についての電子メールを送信する機能を有するＣＰＵとを備える警報通報装置であって、前記ＣＰＵは、警報についての電子メールのタイトルに該当する設備情報を付加する機能を有する警報通報装置である。
【０００８】
また、本発明は、監視対象設備の警報信号を入力する手段と、電子メールを配信するメールサーバーに通信回線を経由して接続する手段と、監視対象設備に発生した警報の件数を保存するメモリと、警報についての電子メールを送信する機能を有するＣＰＵを備えた警報通報装置であって、前記ＣＰＵは、警報についての電子メールのタイトルに該当する警報の発生件数を付加する機能を有する警報通報装置である。
【０００９】
【発明の実施の形態】
発明の実施の形態を説明する。
本発明の警報通報装置の実施例について、図１〜図３を用いて説明する。図１は、実施例の警報通報装置の説明図である。図２は、実施例におけるガイダンス文付きメール送信機能の説明図である。図３は、実施例におけるガイダンス文付きメールの内容の一例の説明図である。
【００１０】
実施例１を説明する。本実施例の警報通報装置１は、図１に示すように、例えばマンホールポンプ等の監視対象設備の監視室に、シーケンサ２等とともに設置されており、監視対象設備であるマンホールポンプ３等の運転信号や故障信号等を取り込むシーケンサ２に接続されている。そして、警報通報装置１は、ガイダンス付きメールの通報４を、通信回線５等を介して、携帯電話６１、電話６２、ファクシミリ６３等に送信する。受信した保守担当者７１等は、ガイダンス付きメール４の通報を受け、車両７２等で監視対象設備３に出動する。これにより、保守担当者７１等は、警報通報を受取ると、すぐに該当する監視対象設備に出動し、故障等に対する修理等を行うことができる。
【００１１】
実施例１の警報通報装置１は、例えばパソコン等からなり、監視対象設備の警報信号を入力する手段、電子メールを配信するメールサーバーに通信回線５を経由して接続する手段、警報内容に対応するガイダンス文を保存するメモリ、警報についての電子メールを送信する機能を有するＣＰＵを備えている。そして、警報通報装置１のＣＰＵは、警報内容及びその警報内容に対するガイダンス文を電子メールに付加する機能を有する。また、警報通報装置１は、ガイダンス文内に付加する電話番号や警報への対応方法文を保存するメモリを備えている。
【００１２】
実施例１の警報通報装置１のガイダンス付きメール送信機能について、図２を用いて説明する。テレメータ１２を介して監視対象設備３からの故障信号を取り込んだシーケンサ２は、中央監視室にミニグラフィックパネル１１等とともに設置された警報通報装置１に警報信号を出力する。警報信号を受取った警報通報装置１は、所定のクライアント機器６ａ、６ｂに対するガイダンス付きメール４を、ダイアルアップルータ１３及び通信回線５等を介してメールサーバー８に送る。メール受信者は、クライアント機器６から自己宛てのメールの有無をメールサーバー８にアクセスして確認することにより、警報通報装置１からのガイダンス文付きメール４を受取ることができ、メール受信者は、受取ったメール４にガイダンス文が付いているので、故障が発生した設備や故障の内容、保守担当者の電話番号、故障への対処方法文等を得ることができ、メールの持つ機動性を損なわずに、警報を受取った後の対応をすることが可能となる。
【００１３】
なお、実施例１では、警報通報装置は、警報内容に対応するガイダンス文や電話番号、警報への対処方法文を保存するメモリを備え、そして、ＣＰＵは、警報内容及び該警報内容に対応するガイダンス文等を電子メールに付加する機能を有していたが、監視対象設備を特定する設備情報を保存するメモリや監視対象設備に発生した警報の件数を保存するメモリを備え、そして、ＣＰＵは、警報についての電子メールのタイトルに該当する設備情報や警報の発生件数を付加する機能を有するようにすることも可能である。
【００１４】
実施例におけるガイダンス文の一例を図３に示す。ガイダンス文としては、警報を発生した設備、警報発生件数、警報復旧件数、警報の内容、警報復旧の内容、保守連絡先の電話番号、警報への対処方法等が有る。
【００１５】
【発明の効果】
本発明によれば、出先で警報メールを受信した保守担当者が設備を復旧させるための指示を出せ、また、複数の設備の保守を担当している保守員が、受取った警報メールの情報からその後の処置を行うことができる警報通報装置を得ることができる。
【図面の簡単な説明】
【図１】実施例の警報通報装置の説明図。
【図２】実施例におけるガイダンス文付きメール送信機能の説明図。
【図３】実施例におけるガイダンス文付きメールの内容の一例の説明図。
【符号の説明】
１  警報通報装置
１１  ミニグラフィックパネル
１２  テレメータ
１３  ダイアルアップルータ
２  シーケンサ
３  監視対象設備
４  ガイダンス文付きメール
５  通信回線
６ａ、６ｂ  クライアント機器
６１  携帯電話
６２  電話
６３  ファクシミリ
７１  保守担当者
７２  車両
８  メールサーバー
【図１】
0004455781.tif 000002
【図２】
0004455781.tif 000003
【図３】
0004455781.tif 000004